(57)【要約】【課題】  室内の明るさを下げてＡＶコンテンツを視聴する場合に、視聴者の目への負担を軽減することが可能なディスプレイ装置を提供する。【解決手段】  ディスプレイ装置１は、映像を表示する液晶パネル１２と、液晶パネル１２の背面に設けられたバックライト１３と、バックライト１３を構成するＣＣＦＬ１３ａ〜１３ｄから放射された光を導く導光体１４と、導光体１４によって導かれ、該導光体１４から出射された光を筐体１０の背面側斜め上方向へ照射するルーバー１５とを備える。ここで、ディスプレイ装置１が室内の壁際に置かれている場合、ディスプレイ装置１の背面側斜め上方向に放射された光は壁１００に照射される。この光によって、ディスプレイ装置１の周囲の壁１００が照らされ、所謂間接照明効果が得られる。【選択図】  図１
2011039204.tif 000002
【特許請求の範囲】
【請求項１】
筐体に取り付けられ、映像を表示するディスプレイパネルと、
前記ディスプレイパネルの背面に設けられた光源と、
前記光源から放射された光を前記筐体の背面方向及び／又は側面方向へ照射する照射手段と、を備えることを特徴とするディスプレイ装置。
【請求項２】
前記ディスプレイパネルは、液晶パネルであり、
前記光源は、前記液晶パネルを背面から照明するバックライトである、ことを特徴とする請求項１に記載のディスプレイ装置。
【請求項３】
前記光源は、間接照明専用の光源である、ことを特徴とする請求項１に記載のディスプレイ装置。
【請求項４】
前記照射手段は、前記光源から放射された光を配光して照射するルーバーを有することを特徴とする請求項１〜３のいずれか１項に記載のディスプレイ装置。
【請求項５】
前記ルーバーは、可動式のルーバーであることを特徴とする請求項４に記載のディスプレイ装置。
【請求項６】
前記照射手段は、前記光源から放射された光を前記ルーバーに導く導光体をさらに有することを特徴とする請求項４又は５に記載のディスプレイ装置。
【請求項７】
前記照射手段は、
前記光源から放射された光の光量及び／又は色を調節する調光手段と、
前記調光手段を駆動する駆動手段と、を有することを特徴とする請求項１〜３のいずれか１項に記載のディスプレイ装置。
【請求項８】
前記駆動手段は、前記ディスプレイパネルに表示される映像信号、及び／又は、音声信号に応じて、前記調光手段を駆動することを特徴とする請求項７に記載のディスプレイ装置。
【請求項９】
前記ディスプレイパネルに表示される映像信号、及び／又は、音声信号に応じて、前記光源の光度を調節する調節手段をさらに備えることを特徴とする請求項３〜６のいずれか１項に記載のディスプレイ装置。
【請求項１０】
前記光源に対する電力供給のみを断続する電源スイッチを備えることを特徴とする請求項１〜９のいずれか１項に記載のディスプレイ装置。
【発明の詳細な説明】
【技術分野】
【０００１】
本発明は、ディスプレイ装置に関する。
【背景技術】
【０００２】
近年、映像を表示するディスプレイ装置の大画面化、薄型化、高性能化や低価格化により、高品質なＡＶ（Ａｕｄｉｏ  Ｖｉｓｕａｌ）コンテンツを家庭で手軽に視聴することができるようになってきている。ところで、大型のディスプレイ装置でＡＶコンテンツを視聴する際には、室内を若干暗くした方が、より迫力のある映像を楽しむことができる。しかしながら、室内の明るさを下げると、ディスプレイ装置の画面外側方向へ出射された光の乱反射などによってコントラスト感の低下を生じることがある。
【０００３】
このようなコントラスト感の低下を抑制するため、特許文献１には、周囲の明るさが低い場合に視野角を狭くするように制御する技術が開示されている。この技術では、周囲の明るさが基準値以下であると判断された場合、位相差制御用液晶素子に電圧を印加し、表示用液晶素子の視野角特性を狭視野角状態へ変更することにより、画面外側方向への出射光の乱反射などによって生じるコントラスト感の低下を抑制している。
【先行技術文献】
【特許文献】
【０００４】
【特許文献１】特開２００７−１６３８７２号公報
【発明の概要】
【発明が解決しようとする課題】
【０００５】
一方、室内の明るさを下げてＡＶコンテンツを視聴する場合、表示された映像とディスプレイ装置の周囲（背後）の壁との輝度差が大きくなるため、視聴者の目が疲れやすくなるという問題がある。しかしながら、特許文献１記載の技術では、室内の明るさを下げて映像を視聴するときに、視聴者の目への負担を軽減することは考慮されていなかった。
【０００６】
本発明は、上記問題点を解消する為になされたものであり、室内の明るさを下げてＡＶコンテンツを視聴する場合に、視聴者の目への負担を軽減することが可能なディスプレイ装置を提供することを目的とする。
【課題を解決するための手段】
【０００７】
本発明に係るディスプレイ装置は、筐体に取り付けられ、映像を表示するディスプレイパネルと、ディスプレイパネルの背面に設けられた光源と、光源から放射された光を筐体の背面方向及び／又は側面方向へ照射する照射手段とを備えることを特徴とする。
【０００８】
本発明に係るディスプレイ装置によれば、光源からの光が筐体の背面方向及び／又は側面方向へ照射されることにより、間接照明効果が得られ、ディスプレイパネルに表示される映像とディスプレイパネル周辺との輝度の差を徐々に小さくすることができる。よって、視聴者の目への負担を軽減することが可能となる。
【０００９】
本発明に係るディスプレイ装置は、ディスプレイパネルが、液晶パネルであり、光源が、液晶パネルを背面から照明するバックライトであることが好ましい。この場合、間接照明用の光源として、液晶パネルのバックライトを利用することができるため、ディスプレイ装置の大型化（重量増大）や、高コスト化、消費電力の増大を抑制することができる。また、ディスプレイ装置の大型化（重量増大）が抑制されるため、ディスプレイ装置の運搬、設置作業を容易に行うことができる。
【００１０】
本発明に係るディスプレイ装置は、上記光源が、間接照明専用の光源であることが好ましい。このようにすれば、筐体内で光源をレイアウトする際の設計自由度を向上することができる。また、光源の光度を独立して調節することができるようになるため、調光制御の自由度も向上することができる。さらに、この場合、バックライトが不要な自発光式のディスプレイ、例えばＥＬディスプレイやプラズマディスプレイなどにも適用することが可能となる。
【００１１】
本発明に係るディスプレイ装置では、上記照射手段が、光源から放射された光を配光して照射するルーバーを有することが好ましい。このようにすれば、光源から放射された光をルーバーを介して筐体の背面方向及び／又は側面方向へ照射することが可能となる。
【００１２】
ここで、上記ルーバーは、可動式のルーバーであることが好ましい。この場合、ルーバーの角度を任意に調節することができるため、周囲の壁などに対するディスプレイ装置の配置に応じて、背面方向及び／又は側面方向へ照射される光の光量や配光を最適に調節することができる。よって、間接照明効果をより高めることが可能となる。
【００１３】
また、上記照射手段が、光源から放射された光をルーバーに導く導光体をさらに有することが好ましい。このようにすれば、光源から放射された光を効率よくルーバーまで導くことが可能となる。
【００１４】
本発明に係るディスプレイ装置では、上記照射手段が、光源から放射された光の光量及び／又は色を調節する調光手段と、該調光手段を駆動する駆動手段とを有することが好ましい。この場合、調光手段を駆動することにより、背面方向及び／又は側面方向へ照射される光の光量及び／又は色を適切に調節することができる。よって、周囲の壁などに対するディスプレイ装置の配置に応じて、最適な間接照明効果を得ることが可能となる。
【００１５】
また、本発明に係るディスプレイ装置では、駆動手段が、ディスプレイパネルに表示される映像信号、及び／又は、音声信号に応じて、調光手段を駆動することが好ましい。このようにすれば、映像や音声に合わせて背面方向及び／又は側面方向へ照射される光の光量及び／又は色を調節することができる。そのため、ＡＶコンテンツを視聴する際により臨場感を高めることが可能となる。
【００１６】
本発明に係るディスプレイ装置は、ディスプレイパネルに表示される映像信号、及び／又は、音声信号に応じて、光源の光度を調節する調節手段をさらに備えることが好ましい。このようにすれば、映像や音声に合わせて光源から放射される光の光量を調節することができるため、臨場感を高めることが可能となる。
【００１７】
本発明に係るディスプレイ装置では、光源に対する電力供給のみを断続する電源スイッチを備えることが好ましい。このようにすれば、光源のみをオンすることができるため、映像を視聴しないときにも、ディスプレイ装置を間接照明器具として使用することが可能となる。
【発明の効果】
【００１８】
本発明によれば、間接照明効果を得ることができるため、室内の明るさを下げてＡＶコンテンツを視聴する場合に、視聴者の目への負担を軽減することが可能となる。
【図面の簡単な説明】
【００１９】
【図１】第１実施形態に係るディスプレイ装置の構成を模式的に示した縦断面図である。
【図２】第１実施形態に係るディスプレイ装置の背面を示す図である。
【図３】第２実施形態に係るディスプレイ装置の構成を模式的に示した縦断面図である。
【図４】第２実施形態に係るディスプレイ装置を構成する電子制御ユニットのブロック図である。
【図５】第３実施形態に係るディスプレイ装置の構成を模式的に示した縦断面図である。
【図６】第３実施形態に係るディスプレイ装置を構成する電子制御ユニットのブロック図である。
【図７】第４実施形態に係るディスプレイ装置の構成を模式的に示した縦断面図である。
【図８】第４実施形態に係るディスプレイ装置を構成する電子制御ユニットのブロック図である。
【発明を実施するための形態】
【００２０】
以下、図面を参照して本発明の好適な実施形態について詳細に説明する。なお、各図において、同一要素には同一符号を付して重複する説明を省略する。
【００２１】
［第１実施形態］
まず、図１及び図２を用いて、第１実施形態に係るディスプレイ装置１の構成について説明する。図１は、ディスプレイ装置１の構成を模式的に示した縦断面図である。また、図２は、ディスプレイ装置１の背面を示す図である。なお、本実施形態では、ディスプレイ装置１が液晶テレビジョンである場合を例にして説明する。
【００２２】
ディスプレイ装置１は、前面に矩形の開口部が形成された扁平な直方体形状をした筐体１０と、該筐体１０を水平方向に回動可能に支持するスタンド１１とを備えている。筐体１０の前面開口部には、液晶パネル１２が取り付けられている。
【００２３】
液晶パネル１２は、公知の透過型カラーＬＣＤ（Ｌｉｑｕｉｄ  Ｃｒｙｓｔａｌ  Ｄｉｓｐｌａｙ）であり、例えば、ガラス板やアクリル板からなる平行に設けられた２枚の透明基板の間に、液晶が充填されたものである。それぞれの透明基板の内面にはマトリクス状に配置された複数の透明電極が設けられており、対向する透明電極の間に映像信号に基づく印加電圧が加えられることにより液晶の配列方向が制御され、映像信号に応じた映像が表示される。すなわち、液晶パネル１２は、特許請求の範囲に記載のディスプレイパネルに相当する。
【００２４】
液晶パネル１２の背面側には、バックライト１３が設けられている。本実施形態では、バックライト１３として、直下型方式のものを採用した。すなわち、バックライト１３は、液晶パネル１２の背面に沿って等間隔に配置された４本のＣＣＦＬ（Ｃｏｌｄ−Ｃａｔｈｏｄｅ  Ｆｌｕｏｒｅｓｃｅｎｔ  Ｌａｍｐ、冷陰極管）１３ａ〜１３ｄと、液晶パネル１２とＣＣＦＬ１３ａ〜１３ｄとの間に設けられ、ＣＣＦＬ１３ａ〜１３ｄから放射された光を均一化する拡散板１３ｅとを有している。ＣＣＦＬ１３ａ〜１３ｄから放射された光は、拡散板１３ｅによって均一化され、背面側から液晶パネル１２の全領域へ照射される。
【００２５】
なお、バックライト１３を構成するＣＣＦＬの数や配列方向は、本実施形態に限定されるものではなく、例えば使用される液晶パネルの大きさや用途等に応じて任意に決定される。また、バックライト１３の方式は、直下型方式に限られず、導光板の側端部にＣＣＦＬを配置し、該ＣＣＦＬから放射される光を導光板を使って面状の光に換えてから液晶パネルに送るエッジライト方式（サイドライト方式、導光板方式）を採用してもよい。さらに、バックライト１３の光源は、ＣＣＦＬに限られることなく、例えば、発光ダイオード（ＬＥＤ）、電球、エレクトロルミネッセンスパネル（ＥＬＰ）、熱陰極蛍光灯（ＨＣＦＬ）等を用いることもできる。
【００２６】
ここで、図２に示されるように、筐体１０の背面には、左上方、右上方、左下方、右下方の４箇所に、矩形の開口部が形成されており、それぞれの開口部にルーバー１５が嵌め込まれている。なお、開口部の数、配置、面積、形状等は本実施形態に限られることなく、ディスプレイ装置１の大きさや間接照明の照度等に応じて設定することが好ましい。
【００２７】
図１に戻り説明を続けると、バックライト１３の背面には、４つの導光体（導光管）１４が配設されている。各導光体１４は、一端面がバックライト１３（ＣＣＦＬ１３ａ〜１３ｄ）と対向し、他端面がルーバー１５に面しており、バックライト１３（ＣＣＦＬ１３ａ〜１３ｄ）から背面方向に放射された光をルーバー１５まで導く。導光体１４は、例えば、透明なセラミックスやプラスチックなどから形成されている。
【００２８】
ルーバー１５は、複数の細長い板状の羽板（遮光板）を、所定の間隔を空けて平行に組んだものである。ルーバー１５を構成する羽板は、導光体１４から出射された光を、後方かつ上方へ配光するように取付角度が設定（すなわち羽板の後端側が前端側よりも上方に位置するように設定）されている。これらの導光体１４、及びルーバー１５は、特許請求の範囲に記載の照射手段として機能する。
【００２９】
また、ディスプレイ装置１の前面下部には、ディスプレイ装置（液晶テレビジョン）１の本体の電源スイッチとは別に、バックライト１３に対する電力供給のみを断続するバックライト用電源スイッチ１６が設けられている。ユーザは、このバックライト用電源スイッチ１６をオンすることにより、ディスプレイ装置１がオフされているときであっても、バックライト１３のみをオンすることができる。
【００３０】
上述した構成において、電源がオンされ、バックライト１３に電力が供給されると、バックライト１３（ＣＣＦＬ１３ａ〜１３ｄ）から光が放射される。放射された光のうち、ディスプレイ装置１３の背面方向に放射された光は、導光体１４の一方の端面に入射し、該導光体１４の中を導かれて、該導光体１４の他方の端面から出射される。導光体１４から出射された光は、ルーバー１５によって後方かつ斜め上方向へ配光されて、放射される。ここで、ディスプレイ装置１が室内の壁際に置かれている場合、ディスプレイ装置１の背面側斜め上方向に放射された光は壁１００に照射される。この光によって、ディスプレイ装置１の周囲の壁１００が照らされ、所謂間接照明となる。
【００３１】
本実施形態によれば、バックライト１３（ＣＣＦＬ１３ａ〜１３ｄ）から放射された光が筐体１０の背面方向へ導かれて照射されることにより、間接照明効果が得られ、液晶パネル１２に表示される映像と液晶パネル１２周辺との輝度の差を徐々に小さくすることができる。よって、室内の明るさを下げてＡＶコンテンツを視聴する場合に、視聴者の目への負担を軽減することが可能となる。
【００３２】
本実施形態によれば、間接照明用の光源として、液晶パネル１２のバックライト１３を利用することができるため、ディスプレイ装置１の大型化（重量増大）や、高コスト化、消費電力の増大を抑制することができる。また、ディスプレイ装置１の大型化（重量増大）が抑制されるため、ディスプレイ装置１の運搬、設置作業を容易に行うことが可能となる。
【００３３】
本実施形態によれば、バックライト１３（ＣＣＦＬ１３ａ〜１３ｄ）から放射された光が、導光体１４によりルーバー１５まで導かれるため、バックライト１３から放射された光をより効率よく筐体１０の背面側へ導いて照射することが可能となる。
【００３４】
本実施形態によれば、バックライト１３のみをオンすることができるため、ＡＶコンテンツを視聴しないときにも、ディスプレイ装置１を間接照明器具として使用することができる。
【００３５】
［第２実施形態］
次に、図３及び図４を用いて、第２実施形態に係るディスプレイ装置２の構成について説明する。図３は、ディスプレイ装置２の構成を模式的に示した縦断面図である。なお、図３において第１実施形態と同一又は同等の構成要素については同一の符号が付されている。また、図４は、ディスプレイ装置２を構成する電子制御ユニット２１のブロック図である。
【００３６】
上述したディスプレイ装置１では、間接照明用の光源として、液晶パネル１２用のバックライト１３を利用したが、間接照明専用の光源を設ける構成としてもよい。本実施形態に係るディスプレイ装置２は、バックライト１３からの光をルーバー１５に導く導光体１４に代えて、４つの間接照明用光源２０を備えている点でディスプレイ装置１と異なっている。また、ディスプレイ装置２は、液晶パネル１２に表示される映像信号に応じて、間接照明用光源２０の光量や色等を調節する調光機能を有する電子制御ユニット２１を備えている点でディスプレイ装置１と異なっている。さらに、バックライト１３に対する電力供給のみを断続するバックライト用電源スイッチ１６に代えて、間接照明用光源２０に対する電力供給のみを断続する間接照明光源用電源スイッチ２２を備えている点でディスプレイ装置１と異なっている。その他の構成は、ディスプレイ装置１と同一または同様であるので、ここでは説明を省略する。
【００３７】
間接照明用光源２０は、例えば、複数の赤色（Ｒ）、緑色（Ｇ）、青色（Ｂ）のＬＥＤを含んで構成され、ルーバー１５と対向する位置に取り付けられている。間接照明用光源２０から放射された光は、ルーバー１５を通して、ディスプレイ装置２の背面へ照射される。なお、間接照明用光源２０を構成するＬＥＤは、赤色（Ｒ）、緑色（Ｇ）、青色（Ｂ）のものに限られず、他の色のものでもよい。また、すべて単色（例えば白色等）のＬＥＤのみで構成してもよい。さらに、間接照明用光源２０としては、ＬＥＤの他に、例えば、ＣＣＦＬ、電球、エレクトロルミネッセンスパネル（ＥＬＰ）、熱陰極蛍光灯（ＨＣＦＬ）等を用いることもできる。
【００３８】
電子制御ユニット２１は、ディスプレイ装置２を統括的に制御するとともに、間接照明用光源２０の光度や色を調節するものである。そのため、電子制御ユニット２１は、制御部２１１、チューナ部２１２、映像処理部２１３、液晶パネル駆動部２１４、間接照明用光源制御部（以下、単に「光源制御部」という）２１５、及び、間接照明用光源駆動部（以下、単に「光源駆動部」という）２１６を備えている。
【００３９】
制御部２１１は、操作スイッチやリモコンから入力されたユーザの選局操作に基づいて選局信号を生成し、チューナ部２１２に出力する。なお、制御部２１１は、演算処理を行うマイクロプロセッサ、該マイクロプロセッサに各処理を実行させるためのプログラムやデータを記憶するＲＯＭ、演算結果などの各種データを一時的に記憶するＲＡＭ、及びデータがバックアップされているバックアップＲＡＭ等により構成されている。制御部２１１では、ＲＯＭに記憶されているプログラムが、マイクロプロセッサによって実行されることにより、各機能が実現される。
【００４０】
チューナ部２１２は、制御部２１１から入力された選局信号に応じて、アンテナ２１０で受信した放送波の中から所望する放送波を選局して復調し、復調した受信信号を映像処理部２１３に出力する。映像処理部２１３は、入力された受信信号から、赤色（Ｒ）、緑色（Ｇ）、青色（Ｂ）の色信号（以下「ＲＧＢ信号」という）及び輝度信号（以下「Ｙ信号」という）とからなる映像信号を生成し、液晶パネル駆動部２１４に出力する。液晶パネル駆動部２１４は、入力される映像信号に従って液晶パネル１２を駆動し、映像を表示する。
【００４１】
一方、上述した映像処理部２１３は、ＲＧＢ信号及びＹ信号を光源制御部２１５にも出力する。光源制御部２１５は、入力されたＲＧＢ信号、Ｙ信号から間接照明の照度及び色を演算するとともに、求められた照度及び色に基づいてＲＧＢ各色のＬＥＤを駆動するＰＷＭ（Ｐｕｌｓｅ  Ｗｉｄｔｈ  Ｍｏｄｕｌａｔｉｏｎ）信号を生成して、光源駆動部２１６に出力する。
【００４２】
光源駆動部２１６は、入力されたＰＷＭ信号に応じてスイッチング素子を駆動し、間接照明用光源２０を構成するＲＧＢ各色のＬＥＤに供給される電流を制御する。その結果、液晶パネル１２に表示される映像の明るさや色に連動して間接照明用光源２０を構成するＲＧＢ各色のＬＥＤが発光し、間接照明の照度及び色が調節される。すなわち、光源制御部２１５及び光源駆動部２１６は、特許請求の範囲に記載の調節手段として機能する。
【００４３】
なお、映像信号（ＲＧＢ信号、Ｙ信号）に代えて、又は加えて、音声信号に応じて間接照明用光源２０の光度や色を制御することにより、間接照明の照度及び色を調節する構成としてもよい。その場合、例えば音声の大きさに連動して間接照明の照度及び色を調節することができる。また、操作スイッチやリモコンから入力されるユーザの操作に基づいて、間接照明用光源２０の光度や色を制御することにより、間接照明の照度及び色を調節する構成としてもよい。
【００４４】
間接照明光源用電源スイッチ２２は、ディスプレイ装置（液晶テレビジョン）２の本体に対する電力供給とは別に、間接照明用光源２０、及び電子制御ユニット２１に対する電力供給のみを断続するものである。ユーザは、この間接照明光源用電源スイッチ２２をオンすることにより、ディスプレイ装置２がオフされているときであっても、間接照明用光源２０のみをオンすることができる。また、間接照明光源用電源スイッチ２２がオンされたときに、電子制御ユニット２１を構成する制御部２１１、光源制御部２１５、光源駆動部２１６にも電力が供給される構成とするとともに、ディスプレイ装置本体側の電源がオフされているときに、制御部２１１に入力される操作スイッチやリモコンからの操作信号に基づいて、光源制御部２１５及び光源駆動部２１６を制御し、間接照明用光源２０の光量や色を調節する構成としてもよい。
【００４５】
上述した構成において、映像信号に基づいて間接照明用光源２０が駆動された場合、該間接照明用光源２０から放出される光の光量及び色が映像信号に応じて調節される。その結果、ルーバー１５を介して壁１００に照射される光、すなわち間接照明の照度及び色が、映像に合わせて調節される。
【００４６】
本実施形態によれば、液晶パネル１２のバックライト１３とは別に間接照明用光源２０を設ける構成とすることにより、筐体１０内で光源をレイアウトする際の設計自由度を向上することができる。また、間接照明用光源２０の光度や色を独立して調節することができるため、調光制御の自由度を向上することができる。また、本実施形態によれば、バックライトが不要な自発光式ディスプレイ、例えばＥＬディスプレイやプラズマディスプレイなどにも適用することができる。
【００４７】
本実施形態によれば、視聴しているＡＶコンテンツの映像や音声に合わせて間接照明用光源２０から放射される光の光量や色、すなわち間接照明の照度や色を調節することができるため、ＡＶコンテンツ視聴時の臨場感を高めることが可能となる。
【００４８】
［第３実施形態］
次に、図５及び図６を用いて、第３実施形態に係るディスプレイ装置３の構成について説明する。図５は、ディスプレイ装置３の構成を模式的に示した縦断面図である。また、図６は、ディスプレイ装置３を構成する電子制御ユニット３１のブロック図である。なお、図５において第１実施形態と同一又は同等の構成要素については同一の符号が付されている。また、図６において第２実施形態と同一又は同等の構成要素については同一の符号が付されている。
【００４９】
上述したディスプレイ装置１では、羽板が固定された固定式のルーバー１５を用いたが、ディスプレイ装置３は、固定式のルーバー１５に代えて、ルーバー部（羽板）の角度を上下方向に調節可能な可動ルーバー３０と、該可動ルーバー３０を駆動する圧電アクチュエータ３２とを備えている点で上述したディスプレイ装置１と異なっている。また、ディスプレイ装置３は、圧電アクチュエータ３２を駆動してルーバー部の角度を調節する調節機能を有する電子制御ユニット３１を備えている点でディスプレイ装置１と異なっている。その他の構成は、ディスプレイ装置１と同一または同様であるので、ここでは説明を省略する。
【００５０】
圧電アクチュエータ３２は、圧電素子（ピエゾ素子）の変位によって直線的に伸縮する駆動軸（ロッド）３２ａを有しており、該駆動軸３２ａが鉛直方向に伸縮するように筐体１０に取り付けられている。可動ルーバー３０は、各羽板の一端が圧電アクチュエータ３２の駆動軸３２ａに回動可能に取り付けられている。一方、各羽板の他端の側面部にはピンが突設されており、該ピンが可動ルーバー３０の枠体に回動可能に嵌め込まれている。そのため、圧電アクチュエータ３２の駆動軸３２ａが鉛直方向に伸縮すると、各羽板がピンを支点として上下に揺動する。なお、可動ルーバー３０を駆動するアクチュエータは、圧電アクチュエータに限られることなく、例えば、電動式のリニアソレノイド、又は、電動モータと該電動モータの出力軸の回転運動を直線運動に変換する機構とを組み合わせたものなどでもよい。
【００５１】
電子制御ユニット３１は、ディスプレイ装置３を統括的に制御するとともに、可動ルーバー３０の羽板の角度を調節するものである。そのため、電子制御ユニット３１は、制御部３１１、チューナ部２１２、映像処理部２１３、液晶パネル駆動部２１４、及び圧電アクチュエータ駆動部３１６を備えている。なお、チューナ部２１２、映像処理部２１３、液晶パネル駆動部２１４は、上記第２実施形態で説明したものと同一であるので、ここでは説明を省略する。
【００５２】
制御部３１１は、操作スイッチやリモコンから入力されたユーザの操作に基づいて、可動ルーバー３０の羽板の角度を上下させるための駆動電圧を生成し、圧電アクチュエータ駆動部３１６へ出力する。一方、圧電アクチュエータ駆動部３１６は、入力された駆動電圧に従って圧電アクチュエータ３２を駆動する。
【００５３】
上述した構成において、圧電アクチュエータ３２が駆動された場合、駆動軸３２ａが、鉛直方向に伸縮する。そのため、可動ルーバー３０の各羽板がピンを支点として上下に揺動し、ルーバー部（羽板）の角度が上下方向に調節される。その結果、可動ルーバー３０から壁１００に照射される間接照明の照射角度がユーザの所望する角度に調節される。
【００５４】
本実施形態によれば、可動ルーバー３０を構成する各羽板の角度を任意に調節することができるため、周囲の壁１００に対するディスプレイ装置３の配置に応じて、背面方向へ照射される光の光量や配光を最適に調節することができる。よって、間接照明効果をより高めることが可能となる。
【００５５】
［第４実施形態］
次に、図７及び図８を用いて、第４実施形態に係るディスプレイ装置４の構成について説明する。図７は、ディスプレイ装置４の構成を模式的に示した縦断面図である。また、図８は、ディスプレイ装置４を構成する電子制御ユニット４１のブロック図である。なお、図７及び図８において第２実施形態と同一又は同等の構成要素については同一の符号が付されている。
【００５６】
上述したディスプレイ装置２では、間接照明用光源２０を備えることにより、間接照明の光量や色を調節したが、専用の光源を備えることなく、液晶パネル１２用のバックライト１３から放射された光を調光することにより、間接照明の光量や色を調節する構成とすることもできる。本実施形態に係るディスプレイ装置４は、間接照明用光源２０に代えて、バックライト１３からの光を導く導光体１４を備えるとともに、ルーバー１５に代えて、導光体１４から出射された光を調光するカラー液晶パネル４０を備えている点でディスプレイ装置２と異なっている。また、ディスプレイ装置４は、液晶パネル１２に表示される映像信号に応じて、カラー液晶パネル４０を透過する光の光量や色等を調節する調光機能を有する電子制御ユニット４１を備えている点でディスプレイ装置２と異なっている。その他の構成は、ディスプレイ装置２と同一または同様であるので、ここでは説明を省略する。また、導光体１４は、第１実施形態（ディスプレイ装置１）で説明したものと同一であるので、ここでは説明を省略する。
【００５７】
カラー液晶パネル４０は、筐体１０の背面に形成された開口部（図２参照）に取り付けられる小型の液晶パネルである。カラー液晶パネル４０は、印加電圧の大きさによって液晶分子の配向状態が変わり、それによって光の透過率が変化するという特性を有する。よって、カラー液晶パネル４０に印加される電圧が調節されることによって、該カラー液晶パネル４０を透過する光の光量及び色が調節される。すなわち、カラー液晶パネル４０は、特許請求の範囲に記載の調光手段として機能する。
【００５８】
電子制御ユニット４１は、ディスプレイ装置４を統括的に制御するとともに、カラー液晶パネル４０を制御して透過する光の光量や色を調節するものである。そのため、電子制御ユニット４１は、制御部２１１、チューナ部２１２、映像処理部２１３、液晶パネル駆動部２１４、カラー液晶パネル制御部（以下、単に「液晶制御部」という）４１５、及び、カラー液晶パネル駆動部（以下、単に「液晶駆動部」という）４１６を備えている。ここで、制御部２１１、チューナ部２１２、映像処理部２１３、液晶パネル駆動部２１４は、上述したディスプレイ装置２のものと同一であるので、ここでは説明を省略する。
【００５９】
液晶制御部４１５は、映像処理部２１３から入力されたＲＧＢ信号、Ｙ信号から間接照明の色及び照度を演算するとともに、求められた色及び照度に基づいてカラー液晶パネル４０を駆動するための駆動信号を生成して、液晶駆動部４１６に出力する。液晶駆動部４１６は、入力された駆動信号に応じて、カラー液晶パネル４０に印加される電圧を制御する。その結果、映像の明るさや色に連動してカラー液晶パネル４０を透過する光が調光され、間接照明の照度及び色が調節される。すなわち、液晶制御部４１５及び液晶駆動部４１６は、特許請求の範囲に記載の駆動手段として機能する。
【００６０】
なお、映像信号（ＲＧＢ信号、Ｙ信号）に代えて、又は加えて、音声信号に応じてカラー液晶パネル４０を透過する光の光量や色を制御することにより、間接照明の照度及び色を調節する構成としてもよい。その場合、例えば音声の大きさに連動して間接照明の照度及び色を調節することができる。また、操作スイッチやリモコンから入力されるユーザの操作に基づいて、カラー液晶パネル４０を透過する光の光量や色を制御することにより、間接照明の照度及び色を調節する構成としてもよい。
【００６１】
上述した構成において、映像信号に基づいてカラー液晶パネル４０が駆動された場合、該カラー液晶パネル４０を透過する光の光量及び色が映像信号に応じて調節される。その結果、カラー液晶パネル４０を介して壁１００に照射される光、すなわち間接照明の照度及び色が、映像に合わせて調節される。
【００６２】
本実施形態によれば、カラー液晶パネル４０を駆動することにより、筐体１０の背面方向へ照射される光の光量及び色を適切に調節することができる。よって、周囲の壁１００に対するディスプレイ装置４の配置に合わせて、最適な間接照明効果を得ることが可能となる。
【００６３】
また、本実施形態によれば、視聴しているＡＶコンテンツの映像や音声に合わせて背面方向へ照射される光の光量及び色、すなわち間接照明の照度や色を調節することができる。そのため、ＡＶコンテンツ視聴時の臨場感をより高めることが可能となる。
【００６４】
以上、本発明の実施の形態について説明したが、本発明は、上記実施形態に限定されるものではなく種々の変形が可能である。例えば、上記実施形態では、筐体１０の背面から光を照射したが、背面に代えて、又は加えて、筐体１０の上下面や側面から光を照射する構成としてもよい。
【００６５】
また、例えば、上記第３実施形態の可動ルーバー３０を、第２実施形態に係るディスプレイ装置２に適用してもよい。また、例えば白色の間接照明用光源２０と調光用のカラー液晶パネル４０とを組み合わせてもよい。さらに、ルーバー１５に代えて、スリット等を用いることもできる。
【符号の説明】
【００６６】
１，２，３，４  ディスプレイ装置
１０  筐体
１２  液晶パネル
１３  バックライト
１３ａ，１３ｂ，１３ｃ，１３ｄ  ＣＣＦＬ
１３ｅ  拡散板
１４  導光体
１５  ルーバー
１６  バックライト用電源スイッチ
２０  間接照明用光源
２１，３１，４１  電子制御ユニット
２２  間接照明光源用電源スイッチ
３０  可動ルーバー
３２  圧電アクチュエータ
４０  カラー液晶パネル
２１５  光源制御部
２１６  光源駆動部
３１６  圧電アクチュエータ駆動部
４１５  カラー液晶パネル制御部
４１６  カラー液晶パネル駆動部
【図１】
2011039204.tif 000003
【図２】
2011039204.tif 000004
【図３】
2011039204.tif 000005
【図４】
2011039204.tif 000006
【図５】
2011039204.tif 000007
【図６】
2011039204.tif 000008
【図７】
2011039204.tif 000009
【図８】
2011039204.tif 000010